(57)【要約】【課題】  著作権保護機能を持つ大容量の記録媒体を備えた記録再生装置を提供するとともに、専用のアプリケーションを用いることなくデータの格納を可能とする。【解決手段】  記録媒体１０６のブートセクタ２０２をリードオンリーとし、フォーマットを記録再生装置１００で行い、外部ホスト機器１０１からのフォーマットを禁止する。記録再生装置１００はフォーマット時に第１のディレクトリと第２のディレクトリを固定的に確保する。ライトオンリーモードでは、コンテンツデータ領域２０６をライトオンリーとし、リード操作が成された場合は所定のデータを返し、データのリードを禁止する。また、外部ホスト機器１０１の外部ドライブとして使用する通常モードでは第２のディレクトリ領域２０５をアクセス不可としデータのリードを禁止する。【選択図】      図１
2005203034.tif 000002
【特許請求の範囲】
【請求項１】
外部ホスト機器との通信を制御する通信制御部と、
ファイルを記録する記録媒体と、
前記記録媒体を制御する記録媒体制御部と、
前記記録媒体に記録されたファイルのうち圧縮されているファイルを伸張する伸張部と、
前記伸張部で伸張されたデータを再生する再生部と、
前記通信制御部、前記記録媒体制御部、前記伸張部、及び前記再生部を制御する制御部とを備えた記録再生装置であって、
前記外部ホスト機器の外部ドライブとして機能する外部ドライブモードとして、
前記外部ホスト機器が前記記録媒体に対してファイルをリード／ライトすることが可能である通常モードと、
前記外部ホスト機器が前記記録媒体からファイルをリードするのを不可とするライトオンリーモードとを有する、
ことを特徴とする記録再生装置。
【請求項２】
請求項１に記載の記録再生装置において、
前記記録媒体のフォーマットは当該記録再生装置で行うものとし、前記ホスト機器からの該記録媒体のフォーマットを禁止とした、
ことを特徴とする記録再生装置。
【請求項３】
請求項２に記載の記録再生装置において、
前記記録媒体は、そのフォーマット時、該記録媒体のデータ領域の一部に固定的に確保されたディレクトリ領域を有する、
ことを特徴とする記録再生装置。
【請求項４】
請求項３に記載の記録再生装置において、
前記ディレクトリ領域は、少なくとも、
前記通常モードおよび前記ライトオンリーモードでリード／ライト可能な第１のディレクトリ領域と、
前記ライトオンリーモードではリード／ライト可能で、前記通常モードではリード／ライト不可とした第２のディレクトリ領域とを有しており、
前記ライトオンリーモードで前記外部ホスト機器から前記ファイルを前記記録媒体にライトする場合には、該ファイルのディレクトリエントリを前記第２のディレクトリ領域に作成可能とした、
ことを特徴とする記録再生装置。
【請求項５】
請求項４に記載の記録再生装置において、
前記ライトオンリーモードで、前記外部ホスト機器から前記第２のディレクトリ領域にエントリされたファイルのリード操作が成された場合、該外部ホスト機器に対して、該ファイルを送らずに、所定のデータを送る、
ことを特徴とする記録再生装置。
【請求項６】
請求項１ないし５のいずれかに記載の記録再生装置において、
当該記録再生装置で再生するコンテンツファイルは、前記外部ホスト機器から前記ライトオンリーモードでライトされたファイルであって、かつ、前記第２のディレクトリ領域にエントリされたものとした、
ことを特徴とする記録再生装置。
【請求項７】
請求項１ないし６のいずれかに記載の記録再生装置において、
前記記録媒体はハードディスクである、
ことを特徴とする記録再生装置。
【発明の詳細な説明】
【技術分野】
【０００１】
本発明は、記録再生装置に関するものであり、特に、外部ホスト機器と通信する通信手段を有し、該外部ホスト機器からの著作権を有するコンテンツデータを記録再生する記録再生装置に関するものである。
【背景技術】
【０００２】
従来、デジタルデータを格納する記録媒体として、ＣＤ（Ｃｏｍｐａｃｔ  Ｄｉｓｋ）、ＭＤ（Ｍｉｎｉ  Ｄｉｓｋ）、ＤＶＤ（Ｄｉｇｉｔａｌ  Ｖｅｒｓａｔｉｌｅ  Ｄｉｓｋ）などの光ディスクやハードディスクなどの磁気ディスクが広く使用されている。さらに近年では、これらの光ディスクや磁気ディスクよりも小型で軽量という特徴を持った半導体メモリが普及している。
【０００３】
デジタルデータはそのままでは完全な複製を容易に作成されるために、不正な複製が行われるという問題がある。そこで近年では記録されたデジタルデータの複製制御を行う機構を備えた記録媒体が登場している。特に半導体メモリであるＳＤメモリカードでは、ＣＰＲＭという著作権保護技術により不正な複製を禁止することを可能にしており、同じく半導体メモリーであるメモリースティック（登録商標）はマジックゲート（登録商標）という著作権保護技術により不正な複製を禁止することが可能である。（例えば特許文献１参照）
【０００４】
また、著作権保護機能を有していない記録媒体に関して、通常のファイル形式の書き込み読み出し禁止コントロールファイルによりファイルの書き込み読み出し禁止のコントロールを行い、パスワードが一致した時だけコントロールファイルの書き込みを可能にする。また書き込み禁止されているファイルのディレクトリエントリとＦＡＴの保護を行うことによりデータの書き込み読み出しの禁止／許可することが可能である。（例えば特許文献２参照）
【特許文献１】特開２００１−１８８７０１号公報
【特許文献２】特開２００１−１４７８５０号公報
【発明の開示】
【発明が解決しようとする課題】
【０００５】
近年、インターネットが普及し、インターネット上に様々なコンテンツファイルが存在し、容易にコンテンツファイルを入手できるようになり、不正な複製を防止する著作権保護がますます重要になると考えられている。また一方、入手したコンテンツファイルをＵＳＢなどの通信手段によって例えばオーディオプレイヤー機能を有する記録再生装置に送り、記録再生装置で再生しオーディオコンテンツを楽しむという需要が増大している。しかしながら、記録再生装置が著作権保護機能を有していない場合には、記録再生装置自身が不正な複製の源となるという課題がある。このような記録再生装置において、予め専用のアプリケーションを用い、パーソナルコンピュータ等の外部ホスト機器で暗号化などの処理を行い、記録再生装置にファイルを送る、かつ記録再生装置は専用アプリケーションを用いて送られたファイルのみ再生するといった方法があるが、記録再生装置の使用者にとって利便性の面で課題があった。
【０００６】
本発明は、前記従来の課題を解決するものであり、専用のアプリケーションを使用せず、著作権保護を可能とすることのできる記録再生装置を提供することを目的とする。
【課題を解決するための手段】
【０００７】
前記従来の課題を解決するために、本発明の請求項１に係る記録再生装置は、外部ホスト機器との通信を制御する通信制御部と、ファイルを記録する記録媒体と、前記記録媒体を制御する記録媒体制御部と、前記記録媒体に記録されたファイルのうち圧縮されているファイルを伸張する伸張部と、前記伸張部で伸張されたデータを再生する再生部と、前記通信制御部、前記記録媒体制御部、前記伸張部、及び前記再生部を制御する制御部とを備えた記録再生装置であって、前記外部ホスト機器の外部ドライブとして機能する外部ドライブモードとして、前記外部ホスト機器が前記記録媒体に対してファイルをリード／ライトすることが可能である通常モードと、前記外部ホスト機器が前記記録媒体からファイルをリードするのを不可とするライトオンリーモードとを有するものである。
【０００８】
これにより、著作権保護機能を有していない記録媒体であっても、専用のアプリケーションを使用せず、著作権保護を可能とする記録再生装置を提供することができる。
【０００９】
また、本発明の請求項２に係る記録再生装置は、請求項１に記載の記録再生装置において、前記記録媒体のフォーマットは当該記録再生装置で行うものとし、前記ホスト機器からの該記録媒体のフォーマットを禁止としたものである。
【００１０】
これにより、外部ホスト機器から著作権を有するファイルを読み出すことができないように記録媒体をフォーマットすることができる。
【００１１】
また、本発明の請求項３に係る記録再生装置は、請求項２に記載の記録再生装置において、前記記録媒体は、そのフォーマット時、該記録媒体のデータ領域の一部に固定的に確保されたディレクトリ領域を有するものである。
【００１２】
これにより、著作権を有するコンテンツファイルのディレクトリ領域を確保することができる。
【００１３】
また、本発明の請求項４に係る記録再生装置は、請求項３に記載の記録再生装置において、前記ディレクトリ領域は、少なくとも、前記通常モードおよび前記ライトオンリーモードでリード／ライト可能な第１のディレクトリ領域と、前記ライトオンリーモードではリード／ライト可能で、前記通常モードではリード／ライト不可とした第２のディレクトリ領域とを有しており、前記ライトオンリーモードで前記外部ホスト機器から前記ファイルを前記記録媒体にライトする場合には、該ファイルのディレクトリエントリを前記第２のディレクトリ領域に作成可能としたものである。
【００１４】
これにより、著作権保護を行うコンテンツファイルを記録することができるとともに、該コンテンツファイル以外のファイルを記録することができる。
【００１５】
また、本発明の請求項５に係る記録再生装置は、前記ライトオンリーモードで、前記外部ホスト機器から前記第２のディレクトリ領域にエントリされたファイルのリード操作が成された場合、該外部ホスト機器に対して、該ファイルを送らずに、所定のデータを送るものである。
【００１６】
これにより、第２のディレクトリ領域のみを読み出し可能とし、著作権を有するコンテンツファイルのファイル名、ディレクトリ名を、外部ホスト機器で確認することができる。
【００１７】
また、本発明の請求項６に係る記録再生装置は、請求項１ないし５のいずれかに記載の記録再生装置において、当該記録再生装置で再生するコンテンツファイルは、前記外部ホスト機器から前記ライトオンリーモードでライトされたファイルであって、かつ、前記第２のディレクトリ領域にエントリされたものとしたものである。
【００１８】
これにより、著作権保護機能を有する記録再生装置を提供することができる。
【００１９】
また、本発明の請求項７に係る記録再生装置は、請求項１ないし６のいずれかに記載の記録再生装置において、前記記録媒体はハードディスクであるものとしたものである。
【００２０】
これにより、ハードディスクを記録媒体とし、著作権保護機能を有する記録再生装置を提供することができる。
【発明の効果】
【００２１】
本発明の記録再生装置によれば、著作権保護機能を有していない記録媒体であっても、専用のアプリケーションを使用せず、著作権保護を可能とする記録再生装置を提供することができる。
【発明を実施するための最良の形態】
【００２２】
以下に、本発明の記録再生装置の実施の形態を図面とともに詳細に説明する。
（実施の形態１）
【００２３】
図１は本発明の実施の形態１にかかる記録再生装置１００の構成例を示す図であり、本実施の形態１にかかる記録再生装置は、パーソナルコンピュータ等の外部ホスト機器１０１とＵＳＢ等の通信手段によって接続された例である。
【００２４】
図において、記録再生装置１００は、装置全体を制御する制御部１０２と、音楽データや画像データあるいは文書データなどのファイルを格納するハードディスク等の記録媒体１０６と、前記記録媒体１０６に対してデータの書き込みまたは読み出し制御を行う記録媒体制御部１０４と、圧縮データの伸張処理を行う伸張部１０５と、前記伸張部１０５で伸張されたデジタルデータを再生する再生部１０３と、外部ホスト機器１０１との間でコマンド及びデータの通信を行う通信制御部１０７とから構成されている。
【００２５】
また、本実施の形態１にかかる記録再生装置１００は、外部ホスト機器１０１の外部ドライブとして機能する外部ドライブモードとして、外部ホスト機器１０１が記録媒体１０６に対して、該記録再生装置１００で再生するためのコンテンツファイル以外のファイルを自由に書き込みまたは読み出しが行える通常モードと、外部ホスト機器１０１が記録媒体１０６に対して、該記録再生装置１００で再生するための音楽データなどの著作権保護を必要とするコンテンツファイルの書き込みのみを可能とし、記録媒体１０６に書き込まれた該コンテンツファイルの読み出しを不可としたライトオンリーモードとを有している。また、前記通常モードと前記ライトオンリーモードの切り替えは制御部１０２が判別し自動的に行う。または前記記録再生装置１００に備える図示しない切り替えスイッチによって切り替える構成であっても良い。
【００２６】
また、記録媒体１０６をブートアップするデータが格納されたブートセクタをリードオンリーとして、ＵＳＢ等の通信手段によって接続された外部ホスト機器１０１から記録媒体１０６をフォーマットすることを禁止し、記録媒体１０６のフォーマットは当該記録再生装置１００で行う。そして、記録媒体１０６をフォーマットする時には、少なくとも、第１のディレクトリと、著作権保護を必要とする、例えば音楽データ用の第２のディレクトリとを固定的に確保する。なお、著作権保護を必要とするデータは静止画や動画などの映像データでも良い。
【００２７】
図２は、通常モードにおける外部ホスト機器１０１から記録媒体１０６に対するアクセス制限を示す図、また図３はライトオンリーモードにおける外部ホスト機器１０１から記録媒体１０６に対するアクセス制限を示す図である。
【００２８】
図２において、記録媒体１０６をブートアップするデータが格納されたマスターブートセクタ２０１とブートセクタ２０２とはリードオンリーとし、外部ホスト機器１０１からのライト動作を禁止する。ファイル管理手段であるＦＡＴファイルシステムを格納するＦＡＴ領域２０３はリード／ライト可能とし、ディレクトリエントリ領域の内、第１のディレクトリ領域２０４はリード／ライト可能とし、オーディオディレクトリ領域２０５（第２のディレクトリ領域）はアクセス不可とし、コンテンツデータが格納されるコンテンツデータ領域２０６はリード／ライト可能にする。
【００２９】
図３において、記録媒体１０６をブートアップするデータが格納されたマスターブートセクタ２０１とブートセクタ２０２とはリードオンリーとし、外部ホスト機器１０１からのライト動作を禁止する。ファイル管理手段であるＦＡＴファイルシステムを格納するＦＡＴ領域２０３はリード／ライト可能とし、第１のディレクトリ領域２０４、およびオーディオディレクトリ領域２０５はリード／ライト可能とし、コンテンツデータが格納されるコンテンツデータ領域２０６はライトオンリーにする。
【００３０】
以上のようなファイル構成とし、記録再生装置１００をライトオンリーモードに設定することにより、外部ホスト機器１０１からＵＳＢ等の通信手段を用いて外部ホスト機器１０１内のメモリ手段（図示せず）に格納された、著作権保護を必要とする、例えば音楽データを、記録媒体１０６のオーディオディレクトリ領域２０５に格納することができる。これにより、コンテンツデータ領域２０６はライトオンリーとしているためにライトされた音楽データは読み出すことができないので、記録媒体１０６にライトされた音楽データを再生することができるとともに、記録再生装置１００から第３の機器への不正な複製を禁止することができる。
【００３１】
また、ライトオンリーモードにおいて、外部ホスト機器から、オーディオディレクトリ領域にエントリされたファイルのリード操作が行われた場合、該オーディオディレクトリ領域２０５のみ読み出し可能となるので、コンテンツデータ領域２０６に記録されている著作権を有するデータのファイル名、ディレクトリ名を確認することができる。
【００３２】
図４は、前記記録再生装置１００の前記記録媒体１０６に、ライトオンリーモードで前記外部ホスト機器１０１からｎ個の曲の音楽データを格納した場合の前記記録媒体１０６のデータ配置を示す図である。
【００３３】
ＦＡＴ領域２０３には第１のディレクトリ領域、オーディオディレクトリ領域、およびｎ個の曲の音楽データのファイル管理情報が格納されている。オーディオディレクトリ２０５には、ｎ個の曲の音楽データのファイル名を示すデータが格納されており、コンテンツデータ領域２０６には、ｎ個の曲の音楽データが格納されている。前記記録媒体１０６のオーディオディレクトリ領域２０５は、記録媒体１０６のフォーマット時に該記録再生装置１００によって予め固定的に確保されており、かつ制御部１０２により、通常モード時、外部ホスト機器１０１からのアクセスを不可と制御されており、外部ホスト機器１０１からはオーディオディレクトリ２０５を認識することはできないため、コンテンツデータ領域２０６に格納されたｎ個の曲の音楽データは、外部ホスト機器１０１から認識できず、リードすることができないことにより、著作権保護を行える。
【００３４】
また、第１のディレクトリ領域２０４およびコンテンツデータ領域２０６は、リード／ライト可能に設定されているため、これらの領域にデータを格納および読み出すことができ、前記記録再生装置１００を前記外部ホスト機器１０１の外部ドライブ装置としても利用することができる。
【００３５】
次に、本発明の実施の形態１にかかる記録再生装置における外部ドライブモードのファイル書き込みおよびファイル読み出し動作を説明する。
【００３６】
まず、本実施の形態１にかかる記録再生装置におけるファイル書き込み動作を図５のフローチャートを参照して説明する。
【００３７】
外部ホスト機器１０１からファイル書き込み要求を受信すると（ステップＳ５０１）、該書き込みファイルが音楽データ等の著作権を有するコンテンツファイルの場合（ステップＳ５０２）、ライトオンリーモードに設定し（ステップＳ５０３）、外部ホスト機器１０１から記録媒体１０６に対して、該コンテンツファイルがコンテンツデータ領域２０６に書き込まれるとともに、第２のディレクトリ領域２０５にディレクトリエントリを作成する（ステップＳ５０４）。
【００３８】
また、ステップＳ５０２において、書き込みファイルが音楽データ等の著作権を有するコンテンツファイル以外のファイルの場合、通常モードに設定し（ステップＳ５０５）、外部ホスト機器１０１から記録媒体１０６に対して、該コンテンツファイル以外のファイルがコンテンツデータ領域２０６に書き込まれるとともに、第１のディレクトリ領域２０４にディレクトリエントリを作成する（ステップＳ５０６）。
【００３９】
次に、本実施の形態１にかかる記録再生装置におけるファイル読み出し動作を説明する。
外部ホスト機器１０１からファイル読み出し要求を受信すると（ステップＳ６０１）、該読み出ししようとするファイルがコンテンツデータ領域２０６に格納されている音楽データ等の著作権を有するコンテンツファイルの場合（ステップＳ６０２）、ライトオンリーモードに設定し（ステップＳ６０３）、外部ホスト機器から第２のディレクトリ領域２０５が読み出されるとともに（ステップＳ６０４）、ファイル情報、ディレクトリ情報が読み出される（ステップＳ６０５）。すなわち、ライトオンリーモードによって著作権を有するコンテンツファイルの読み出しを行った場合、外部ホスト機器１０１にコンテンツデータは読み出されずに第２のディレクトリ領域２０５のみが読み出される。
【００４０】
このとき、設定されたモードが通常モードの場合であっても、第２のディレクトリ領域２０５はアクセス不可であるので、再生ファイルは読み出されない。
【００４１】
また、ステップＳ６０２において、読み出しファイルが音楽データ等の著作権を有するコンテンツファイル以外のファイルの場合、通常モードに設定し（ステップＳ６０６）、外部ホスト機器１０１から記録媒体１０６に対して、第１のディレクトリ領域２０４が読み出されるとともに（ステップＳ６０７）、コンテンツデータ領域２０６から該ファイルが読み出される（ステップＳ６０８）。
【００４２】
以上のような本発明の実施の形態１にかかる記録再生装置は、外部ホスト機器１０１の外部ドライブとして機能する外部ドライブモードとして、外部ホスト機器１０１が記録媒体１０６に対して、ファイルをリード／ライト可能な通常モードと、外部ホスト機器１０１が記録媒体１０６に対して、ファイルをリード不可とするライトオンリーモードとを備え、当該記録再生装置による記録媒体のフォーマット時に、通常モード及びライトオンリーモードでリード／ライト可能な第１のディレクトリ領域２０４と、ライトオンリーモードではリード／ライト可能で、通常モードではリード／ライトを禁止した第２のディレクトリ領域２０５とを固定的に確保し、コンテンツデータ領域２０６に記録される著作権を有するコンテンツファイルを、ライトオンリーモードで記録されたファイルで、かつ第２のディレクトリ領域２０５にエントリされたものとしたので、著作権保護機能を有していない記録媒体であっても、専用のアプリケーションを使用せず、著作権保護を可能とする記録再生装置を提供することができる。
【産業上の利用可能性】
【００４３】
本発明の記録再生装置は特別な著作権保護機構を有していない例えばハードディスクを記録媒体に用いるオーディオプレイヤーに適している。
【図面の簡単な説明】
【００４４】
【図１】本発明における記録再生装置の構成例を示す図
【図２】本発明における記録再生装置の通常モードのアクセス制限を示す図
【図３】本発明における記録再生装置のライトオンリーモードのアクセス制限を示す図
【図４】本発明における記録再生装置の記録媒体のデータ配置を示す図
【図５】本発明における記録再生装置に接続された外部ホスト機器からのファイル書き込みの動作を示すフローチャート
【図６】本発明における記録再生装置に接続された外部ホスト機器からのファイル読み出しの動作を示すフローチャート
【符号の説明】
【００４５】
１００  記録再生装置
１０１  外部ホスト機器
１０２  制御部
１０３  再生部
１０４  記録媒体制御部
１０５  伸張部
１０６  記録媒体
１０７  通信制御部
２０１  マスターブートセクタ
２０２  ブートセクタ
２０３  ＦＡＴ領域
２０４  第１のディレクトリ領域
２０５  第２のディレクトリ領域（オーディオディレクトリ領域）
２０６  コンテンツデータ領域
【図１】
2005203034.tif 000003
【図２】
2005203034.tif 000004
【図３】
2005203034.tif 000005
【図４】
2005203034.tif 000006
【図５】
2005203034.tif 000007
【図６】
2005203034.tif 000008